(57)【要約】      （修正有）【課題】転写材料領域を部分使用するときに転写媒体が熱により受けるダメージを抑えることができる画像形成装置および画像形成方法を提供する。【解決手段】画像形成装置は、複数の転写材料にそれぞれ対応する第１の大きさの複数の転写材料領域（Ｙ，Ｍ，Ｃ，ＯＰ）が予め定められた順序で長手方向に繰り返し配置された帯状の転写媒体を搬送する搬送部と、転写材料領域ごとに加熱により転写材料を転写して、記録媒体上に第１の大きさまたは第１の大きさの半分以下である第２の大きさの画像を形成する画像形成部とを有し、画像形成部は、第２の大きさの画像を形成するときに、第２の大きさの画像形成に既に使用された各転写材料領域に含まれる未使用部分か、または転写媒体の新たな転写材料領域を使用し、新たな転写材料領域を使用した第２の大きさの画像形成を、第１の大きさの画像形成と比べて低速で行う。【選択図】図５
2015193188.tif 000002
【特許請求の範囲】
【請求項１】
複数の転写材料にそれぞれ対応する第１の大きさの複数の転写材料領域が予め定められた順序で長手方向に繰り返し配置された帯状の転写媒体を搬送する搬送部と、
前記転写材料領域ごとに加熱により前記転写材料を転写して、記録媒体上に前記第１の大きさまたは前記第１の大きさの半分以下である第２の大きさの画像を形成する画像形成部と、を有し、
前記画像形成部は、
前記第２の大きさの画像を形成するときに、前記第２の大きさの画像形成に既に使用された各転写材料領域に含まれる未使用部分か、または前記転写媒体の新たな転写材料領域を使用し、
前記新たな転写材料領域を使用した前記第２の大きさの画像形成を、前記第１の大きさの画像形成と比べて低速で行う、
ことを特徴とする画像形成装置。
【請求項２】
前記画像形成部は、前記第２の大きさの画像形成に既に使用された各転写材料領域に含まれる未使用部分を使用した前記第２の大きさの画像形成を、前記第１の大きさの画像形成と同じ速度または前記新たな転写材料域を使用した前記第２の大きさの画像形成と同じ速度で行う、請求項１に記載の画像形成装置。
【請求項３】
前記画像形成部は、前記第１の大きさの画像を形成するときと比べて低速で前記第２の大きさの画像を形成するときに、前記第１の大きさの画像を形成するときと比べて低温で前記転写材料領域を加熱する、請求項２に記載の画像形成装置。
【請求項４】
前記画像形成部は、前記第２の大きさの画像を形成するときに、前記第１の大きさの画像を形成するときと単位面積当たり同じ熱量を前記転写材料領域に加える、請求項３に記載の画像形成装置。
【請求項５】
前記画像形成部は、前記新たな転写材料領域を使用して前記第２の大きさの画像を形成するときに、前記転写媒体の搬送方向に沿った各転写材料領域の前半部分を使用する、請求項１〜４のいずれか一項に記載の画像形成装置。
【請求項６】
複数の転写材料にそれぞれ対応する第１の大きさの複数の転写材料領域が予め定められた順序で長手方向に繰り返し配置された帯状の転写媒体を搬送する搬送工程と、
前記転写材料領域ごとに加熱により前記転写材料を転写して、記録媒体上に前記第１の大きさまたは前記第１の大きさの半分以下である第２の大きさの画像を形成する画像形成工程と、を有し、
前記画像形成工程では、
前記第２の大きさの画像を形成するときに、前記第２の大きさの画像形成に既に使用された各転写材料領域に含まれる未使用部分か、または前記転写媒体の新たな転写材料領域を使用し、
前記新たな転写材料領域を使用した前記第２の大きさの画像形成を、前記第１の大きさの画像形成と比べて低速で行う、
ことを特徴とする画像形成方法。
【発明の詳細な説明】
【技術分野】
【０００１】
本発明は、画像形成装置および画像形成方法に関する。
【背景技術】
【０００２】
帯状の転写媒体の長手方向に繰り返し配置された複数の転写材料領域ごとに転写材料を転写することにより記録媒体上に画像形成を行う画像形成装置が知られている。特に、転写材料領域を部分使用して転写材料領域の半分以下の大きさで画像形成を行った後、転写媒体を巻き戻し、部分使用された転写材料領域の未使用部分を使用して同じ大きさで新たな画像形成を行うことができる画像形成装置が知られている。
【０００３】
例えば、特許文献１には、２Ｌサイズ対応のインクリボンを用いてＬサイズ印字を行う場合、通常考えられるインクリボンの各インクの先頭方向（インクリボン巻き取り方向）からの使用に代えて、後方（インクリボン巻き戻し方向）から使用する熱転写カラープリンタが記載されている。
【０００４】
また、特許文献２には、インクリボンのインク層の面よりも小さいサイズの複数枚の画面をプリントする機能を有し、先にプリントした画像の平均階調値を基にインクリボンが受けた熱ダメージの大きさを判定し、次の画像のプリントの際に、インクリボンを巻き戻して残りの未使用部分を使用するか、またはインクリボンの新たな部分を使用するかを制御するプリンタが記載されている。
【先行技術文献】
【特許文献】
【０００５】
【特許文献１】特開２００４−２０２９４１号公報
【特許文献２】特開２００７−０９０７９８号公報
【発明の概要】
【発明が解決しようとする課題】
【０００６】
昇華型のプリンタ、熱溶融型プリンタなどの画像形成装置では、転写材料を記録媒体に転写するときに加えられる熱により、インクリボンなどの転写媒体がダメージを受ける。特に、形成される画像の濃度が濃くなるほど、このダメージは大きくなって、転写媒体が伸びてしまう。そのような転写媒体を巻き戻し、部分使用された転写材料領域の未使用部分を使用して新たな画像形成を行うと、転写媒体上で転写材料が抜けた部分に皺が発生するため、形成される画像の画質がその皺により損なわれるおそれがある。
【０００７】
そこで、本発明は、転写材料領域を部分使用するときに転写媒体が熱により受けるダメージを抑えることを目的とする。
【課題を解決するための手段】
【０００８】
本発明の画像形成装置は、複数の転写材料にそれぞれ対応する第１の大きさの複数の転写材料領域が予め定められた順序で長手方向に繰り返し配置された帯状の転写媒体を搬送する搬送部と、転写材料領域ごとに加熱により転写材料を転写して、記録媒体上に第１の大きさまたは第１の大きさの半分以下である第２の大きさの画像を形成する画像形成部とを有し、画像形成部は、第２の大きさの画像を形成するときに、第２の大きさの画像形成に既に使用された各転写材料領域に含まれる未使用部分か、または転写媒体の新たな転写材料領域を使用し、新たな転写材料領域を使用した第２の大きさの画像形成を、第１の大きさの画像形成と比べて低速で行うことを特徴とする。
【０００９】
上記の画像形成装置では、画像形成部は、第２の大きさの画像形成に既に使用された各転写材料領域に含まれる未使用部分を使用した第２の大きさの画像形成を、第１の大きさの画像形成と同じ速度または新たな転写材料域を使用した第２の大きさの画像形成と同じ速度で行うことが好ましい。
【００１０】
上記の画像形成装置では、画像形成部は、第１の大きさの画像を形成するときと比べて低速で第２の大きさの画像を形成するときに、第１の大きさの画像を形成するときと比べて低温で転写材料領域を加熱することが好ましい。
【００１１】
上記の画像形成装置では、画像形成部は、第２の大きさの画像を形成するときに、第１の大きさの画像を形成するときと単位面積当たり同じ熱量を転写材料領域に加えることが好ましい。
【００１２】
上記の画像形成装置では、画像形成部は、新たな転写材料領域を使用して第２の大きさの画像を形成するときに、転写媒体の搬送方向に沿った各転写材料領域の前半部分を使用することが好ましい。
【００１３】
また、本発明の画像形成方法は、複数の転写材料にそれぞれ対応する第１の大きさの複数の転写材料領域が予め定められた順序で長手方向に繰り返し配置された帯状の転写媒体を搬送する搬送工程と、転写材料領域ごとに加熱により転写材料を転写して、記録媒体上に第１の大きさまたは第１の大きさの半分以下である第２の大きさの画像を形成する画像形成工程とを有し、画像形成工程では、第２の大きさの画像を形成するときに、第２の大きさの画像形成に既に使用された各転写材料領域に含まれる未使用部分か、または転写媒体の新たな転写材料領域を使用し、新たな転写材料領域を使用した第２の大きさの画像形成を、第１の大きさの画像形成と比べて低速で行うことを特徴とする。
【発明の効果】
【００１４】
上記の画像形成装置および画像形成方法によれば、転写材料領域を部分使用するときに転写媒体が熱により受けるダメージを抑えることができる。
【図面の簡単な説明】
【００１５】
【図１】プリンタ１の概略構成を説明するための図である。
【図２】図１のヘッド３の周辺を拡大した図である。
【図３】インクリボン４の動きを説明するための図である。
【図４】印画速度、ヘッド温度およびリボン伸び量の関係を説明するためのグラフ、ならびに通常の印画速度で印画するときと低速で印画するときのヘッド３の通電波形の例を示すグラフである。
【図５】プリンタ１の動作例を示したフローチャートである。
【発明を実施するための形態】
【００１６】
以下、図面を参照しつつ、画像形成装置および画像形成方法について説明する。ただし、本発明が図面または以下に記載される実施形態に限定されるものではないことを理解されたい。
【００１７】
図１は、プリンタ１の概略構成を説明するための図である。なお、図１では、プリンタ１が備える各構成要素の内で、説明のために必要な部分のみを示し、その他の構成要素については省略している。
【００１８】
プリンタ１（画像形成装置の一例）は、ヘッドに対してロール状の記録用紙（記録媒体の一例）を往復動させることによって、記録用紙に画像形成を複数回繰り返すことで、同一紙面上に、例えばイエロー、マゼンタおよびシアンの複数色で画像を形成するプリンタである。以下では、画像形成のことを「印画」ともいう。
【００１９】
プリンタ１は、ロール状の記録用紙１０をロール紙ホルダ２に保持しておき、このロール紙ホルダ２からほどかれた記録用紙１０の記録面上に画像を形成する。ロール状の記録用紙１０をロール紙ホルダ２に保持させるには、例えば、ロール状の記録用紙１０が有する中心軸をロール紙ホルダ２によって回転自在に支持させる。これによって、記録用紙１０は、ロール紙ホルダ２に回転可能に収納される。
【００２０】
画像形成は、インクリボン４（転写媒体の一例）を記録用紙１０の記録面に当接させながら、ヘッド３によって所定位置にインクを記録することによって行う。その際は、インクリボン４と記録用紙１０を重ねて移動させて、ヘッド３とプラテンローラ９の間に通過させる。ヘッド３は、プラテンローラ９に対して移動可能に構成され、画像形成時にプラテンローラ９に押圧されて接触する。プリンタ１は、ヘッド３を構成する発熱体を所定のパターンで発熱させて、インクリボン４から記録用紙１０の上に画像を転写することにより、画像を形成する。
【００２１】
カラー画像を形成するには、画像形成する色に対応したイエロー、マゼンタおよびシアン（転写材料の一例）のインク領域を、インクリボン４の巻取り方向に沿ってインクリボン４に順に用意しておき、インクリボン４を巻き取りながらインク領域をヘッド３に通過させる動作を、色毎に繰り返す。インクリボン４は、供給側リボンローラ４Ａから供給され、巻取側リボンローラ４Ｂに巻き取られる。以下、これらのローラを単に、「リボンローラ４Ａ，４Ｂ」ともいう。インクリボン４は、供給側リボンローラ４Ａとヘッド３の間にあるリボンガイドローラ１５や、ヘッド３と一体に構成されたリボンガイド部１６（図２（Ａ）を参照）によって案内される。
【００２２】
記録用紙１０は、各色の画像形成において、一旦ヘッド３の位置を通過して画像を形成する長さに応じた紙送り（巻きほどき）が行われた後、巻戻しが行われる。ヘッド３は、この記録用紙１０を巻き戻す過程において画像を形成する。プリンタ１は、画像形成の際、記録用紙１０の同一の画像形成領域に各色の画像を重ねて形成するために、記録用紙１０を往復動させる。この記録用紙１０の往復動は、記録用紙１０の搬送経路に設けられたグリップローラ１７とピンチローラ１８により行われる。これらのローラにより記録用紙１０の搬送方向に応じてロール紙ホルダ２の回転方向を変えて、記録用紙１０の巻きほどきと巻戻しが繰り返される。画像形成を行わないときは、グリップローラ１７に対してピンチローラ１８が離間して、記録用紙１０を解放する。一方、画像形成時には、グリップローラ１７とピンチローラ１８が、記録用紙１０を挟んで搬送する。このようにして、記録用紙１０をヘッド３に対して往復動させ、記録用紙１０の同一の画像形成領域に対して複数回の画像形成を繰り返して行う。
【００２３】
なお、インクリボン４は、イエロー、マゼンタおよびシアンのインク領域に加えてオーバーコート層（転写材料の一例）を備える。全色の画像形成が終了した記録用紙１０の記録面上は、このオーバーコート層で覆われることによって保護される。
【００２４】
また、プリンタ１は、排出経路１３上であって排出口６の直前の位置に記録用紙切断部５を備える。画像形成が終了した記録用紙１０は、ヘッド３部分を通過した後、排出経路１３を通過し、プリンタ１の筐体７に設けた排出口６からプリンタ外部に排出される。記録用紙切断部５は、排出口６から外部に送り出された記録用紙１０を、排出口６の手前の位置で切断する。これによって、カットされた記録用紙１０は、排出口６から取り出される。
【００２５】
さらにプリンタ１は、制御部３０、データメモリ３１、記録用紙駆動部３２、ヘッド駆動部３３、インクリボン駆動部３４、切断制御部３５および通信インタフェース３６を備える。
【００２６】
制御部３０は、プリンタ１の全体の動作を制御する。制御部３０は、ＣＰＵやＲＡＭ、ＲＯＭなどを含み、ＲＯＭに予め記憶されたプログラムをＲＡＭにロードして実行することにより、後述する画像形成処理を実行する。データメモリ３１は、通信インタフェース３６を介してホストコンピュータから受信した画像データを蓄積する記憶領域である。
【００２７】
記録用紙駆動部３２は、グリップローラ１７とピンチローラ１８で記録用紙１０を挟んで記録用紙１０を駆動する。記録用紙駆動部３２は、グリップローラ１７およびロール紙ホルダ２を回転駆動することによって記録用紙１０を送り出す。また記録用紙駆動部３２は、駆動方向を反転させてグリップローラ１７およびロール紙ホルダ２を回転駆動することによって、送り出された記録用紙１０を巻き戻す。プリンタ１は、送り出された記録用紙１０が巻き戻されるときに、記録用紙１０上に画像を形成する。
【００２８】
ヘッド駆動部３３は、画像データに基づいてヘッド３を駆動し、記録用紙１０上に画像を形成する。ヘッド３は、昇華型のプリンタ、熱溶融型プリンタなどの各種の画像形成方式に応じた機構を用いることができる。プリンタ１では、記録媒体上に画像を形成する画像形成部の一例として、ヘッド３や、プラテンローラ９、ヘッド駆動部３３を設けている。
【００２９】
インクリボン駆動部３４は、供給側リボンローラ４Ａと巻取側リボンローラ４Ｂを駆動し、ヘッド３の駆動と同期してインクリボン４をヘッド３に対して移動させる。インクリボン駆動部３４はインクリボン４の巻戻し機構も備えており、巻取り方向（順方向）とは逆方向である巻戻し方向にインクリボン４を駆動可能である。プリンタ１では、帯状の転写媒体を搬送する搬送部の一例として、リボンローラ４Ａ，４Ｂや、インクリボン駆動部３４を設けている。
【００３０】
切断制御部３５は、記録用紙１０が排出経路１３を経由し排出口６から外部に排出されるときに、記録用紙１０の記録部分の後端を切断して１枚ずつに切り分けるように記録用紙切断部５を制御する。
【００３１】
通信インタフェース３６は、通信ケーブルを介してホストコンピュータとの間でデータを送受信する。タイマ３７は、例えば、インクリボン４のインク領域より小さいサイズの２枚の画像データをホストコンピュータから予め定められた時間内に続けて受信した場合に、その２枚の画像データを同じインク領域内に割り付けて画像形成する処理を行うために、経過時間を計測する。
【００３２】
図２（Ａ）および図２（Ｂ）は、図１のヘッド３の周辺を拡大した図である。図２（Ａ）は、１つの色について画像形成が始まるときのヘッド３と記録用紙１０の位置関係を示す。一方、図２（Ｂ）は、１つの色についての画像形成が終わるときのヘッド３と記録用紙１０の位置関係を示す。なお、図２（Ａ）では、画像形成中のヘッド３の位置を実線で、画像形成していないときのヘッド３の位置を破線で、それぞれを１つの図に重ねて表示している。
【００３３】
図２（Ａ）に示すように、１つの色について画像形成が始まるときは、まず、記録用紙１０上の画像形成領域の長さに応じて記録用紙１０が矢印Ａ方向に送り出され、記録用紙１０の端部１０Ｅが図中左側に来る。例えば、イエローについての画像形成が始まるときを考えると、このとき、ヘッド３が画像を形成する位置Ｐｈに、イエローのインク領域の先頭と記録用紙１０上の画像形成領域の先頭とが位置合わせされる。以下では、インクリボン４の搬送経路上で、ヘッド３が画像を形成する位置のことを、「ヘッド位置Ｐｈ」という。ヘッド位置Ｐｈにおいてインクリボン４と記録用紙１０が重なった状態で、記録用紙１０は矢印Ｂ方向に、インクリボン４は矢印Ｃ方向にそれぞれ搬送されながら、ヘッド３により記録用紙１０上にイエローについての画像形成が行われる。
【００３４】
イエローの画像形成が終わり図２（Ｂ）に示す状態になると、記録用紙１０が再び矢印Ａ方向に送り出される。これにより、ヘッド３と記録用紙１０の位置関係は、再び図２（Ａ）と同じ状態になる。そして、次のマゼンタのインク領域の先頭と記録用紙１０上の画像形成領域の先頭とがヘッド位置Ｐｈに位置合わせされ、マゼンタの画像形成が行われる。このように、記録用紙１０は、図中の左右に行き来しながらイエロー、マゼンタ、シアンおよびオーバーコートについて画像形成される。その後、記録用紙１０は矢印Ａ方向に送られ、記録用紙切断部５により画像後端で切断されて排出される。
【００３５】
インクリボン４は、巻取側リボンローラ４Ｂに巻き取られるときに矢印Ｃ方向に搬送され、供給側リボンローラ４Ａに巻き戻されるときに矢印Ｄ方向に搬送される。矢印Ｃ方向と矢印Ｄ方向は、それぞれ巻取り方向と巻戻し方向に対応する。インクリボン４については、供給側リボンローラ４Ａから巻取側リボンローラ４Ｂに向かう矢印Ｃ方向が、上流から下流への向きになる。これは、記録用紙１０がヘッド３やプラテンローラ９を通って、排出経路１３を経て排出される矢印Ａ方向とは逆向きである。
【００３６】
プリンタ１では、イエロー、マゼンタ、シアンおよびオーバーコートが順次塗布されたインクリボン４の各インク領域の境界を検出するためのリボンセンサ８が、ヘッド３に対しインクリボン４の巻取り方向の下流側に設けられている。リボンセンサ８は、転写材料領域同士の境界を検出する検出部の一例である。リボンセンサは、各色の印画が終わってインクリボン４がさらに巻き取られるときに、次の領域の境界を検出する。以下では、各色のインク領域やオーバーコートの領域（転写材料領域の一例）のことを「パネル」といい、各パネルの境界のことを「パネル境界」という。また、インクリボン４の搬送経路上で、リボンセンサ８が設けられている位置Ｐｓ（検出位置）のことを、「センサ位置Ｐｓ」という。
【００３７】
なお、リボンセンサは、各パネル境界を検出できる範囲内であればどこに配置してもよい。例えば、ヘッド３に対しインクリボン４の巻取り方向の上流側にリボンセンサを配置してもよい。
【００３８】
プリンタ１では、リボンセンサ８として透過型カラーセンサを用いる。透過型カラーセンサは、インクリボン４の搬送経路を挟んで対向する位置にそれぞれ設けられた、投光側リボンセンサと受光側リボンセンサで構成される。なお、投光側リボンセンサと受光側リボンセンサを互いに逆の位置に配置してもよい。
【００３９】
また、図示しないが、リボンローラ４Ａ，４Ｂのどちらか一方か、または両方は、インクリボン４の移送量を検出するエンコーダを備えている。インクリボン駆動部３４は、そのエンコーダのパルス数や、リボンローラ４Ａ，４Ｂのどちらか一方か、または両方の巻き径、リボンセンサ８の検出結果などに基づいて、ヘッド３のヘッド位置Ｐｈに各パネルの先頭を位置決めするために必要な送り量を算出する。インクリボン駆動部３４は、その送り量に応じてインクリボン４を搬送することにより、ヘッド位置Ｐｈに各パネルの先頭を位置決めする。
【００４０】
記録用紙１０上に画像形成できる長さはインクリボン４の各色の長さに依存する。プリンタ１は、例えばＬ版、２Ｌ版の写真に相当する画像を形成する場合には、それぞれ、Ｌ版、２Ｌ版の寸法に応じた長さを有するインクリボン４を使用する。ただし、プリンタ１は、インクリボン４が対応する長さより短い画像も形成できる。例えば、２Ｌ版のインクリボンが取り付けられているときには、プリンタ１は、２Ｌ版の他、Ｌ版の画像を形成することができる。
【００４１】
なお、リボンローラ４Ａ，４Ｂのどちらか一方には、プリンタ１の印画条件（ヘッド３の通電条件）を設定するために用いられるインクリボン４の特性に関するデータ、累計使用量（残使用可能量）などの情報を記憶するＲＦＩＤタグが内蔵されている。
【００４２】
このように、プリンタ１は、インクリボン４のパネルのサイズより小さなサイズの画像を印画可能である。以下では、例えば、各パネルのサイズが６×８インチ（１５２×２０３ｍｍ）のインクリボン４を使用して、サイズが６×８インチか、またはその半分である６×４インチ（１５２×１０１ｍｍ）の画像を形成する場合を説明する。ただし、サイズはこれらに限定されず、面積が２倍以上異なる２つのサイズの組について、以下の動作例は適用可能である。例えば、２つのサイズの組は、Ａ５サイズ（１４８×２１０ｍｍ）とＡ６サイズ（１０５×１４８ｍｍ）や、２Ｌサイズ（１２７×１７８ｍｍ）とＬサイズ（８９×１２７ｍｍ）などでもよい。なお、以下では、サイズが６×８インチであることを「６×８サイズ」といい、サイズが６×４インチであることを「６×４サイズ」という。６×８サイズは第１の大きさの一例であり、６×４サイズは第１の大きさの半分以下である第２の大きさの一例である。
【００４３】
ホストコンピュータから６×８サイズの画像形成を指示されたときには、プリンタ１は、イエロー、マゼンタ、シアンおよびオーバーコートのそれぞれについて、６×８サイズのパネルの全面を使用して、記録用紙１０上にその画像を形成する。
【００４４】
一方、ホストコンピュータから６×４サイズの画像形成を指示されたときは、プリンタ１は、イエロー、マゼンタ、シアンおよびオーバーコートのそれぞれについて、インクリボン４の巻取り方向（順方向）に対する６×８サイズのパネルの前半部分または後半部分を使用して、記録用紙１０上にその画像を形成する。その際、先の６×４サイズの画像形成により半分未使用となったパネルがない場合には、プリンタ１は、新たなパネルの前半部分を使用する。半分未使用のパネルがある場合には、プリンタ１は、その未使用部分（部分使用されたパネルの後半部分）を使用する。
【００４５】
プリンタ１では、ヘッド３は、新たなパネルの前半部分を使用した６×４サイズの画像形成を、６×８サイズの画像形成と比べて低速で行う。すなわち、制御部３０は、新たなパネルの前半部分を使用して６×４サイズの画像を形成するときに、６×８サイズの画像形成時よりも長い印画周期でヘッド３をプラテンローラ９に押圧させることにより、インクリボン４の各色インクおよびオーバーコートをより低速で記録用紙１０に転写させる。このように、プリンタ１では、新たなパネルを部分使用するときに速度を落として印画することにより、転写の際にインクリボン４が受けるダメージを少なくする。これにより、そのパネルの未使用部分（後半部分）を使用して６×４サイズの画像を形成するときに、そのパネルに皺が発生しないようにする。
【００４６】
一方、部分使用されたパネルの未使用部分（後半部分）を使用した６×４サイズの画像形成については、ヘッド３は、６×８サイズの画像形成よりも低速または６×８サイズの画像形成と同じ速度で行う。
【００４７】
半分未使用のパネルを再使用するために、プリンタ１では、新たなパネルの前半部分を使用して６×４サイズの画像を形成したときは、そのパネルの後半部分が未使用であることを、例えばリボンローラ４Ａ，４Ｂのどちらか一方に内蔵されたＲＦＩＤタグに記憶しておく。そして、プリンタ１の制御部３０は、その情報とホストコンピュータから指示された印画対象の画像サイズから、新たなパネルを使用するか、またはインクリボン４を巻き戻して半分未使用のパネルを再使用するかを判定する。
【００４８】
新たなパネルを使用すると制御部３０が判定した場合には、インクリボン駆動部３４は、新たなイエローのパネルの先頭をヘッド位置Ｐｈに位置合わせする。一方、半分未使用のパネルを再使用すると制御部３０が判定した場合には、インクリボン駆動部３４は、半分未使用のイエローのパネルにおける未使用部分の先頭位置がヘッド位置Ｐｈに来るまで、インクリボン４の巻戻し機構によりインクリボン４を巻き戻す。
【００４９】
図３は、インクリボン４の動きを説明するための図である。
【００５０】
図３（Ａ）は、６×８サイズのインクリボン４を示す。領域４０は全面使用済みのパネルであり、領域４１は全面未使用のパネルである。領域４０はイエローＹ０、マゼンタＭ０、シアンＣ０およびオーバーコートＯＰ０のパネルを含み、領域４１はイエローＹ１、マゼンタＭ１、シアンＣ１およびオーバーコートＯＰ１のパネルを含む。領域４０の左側および領域４１の右側の図示しない範囲にも、イエロー、マゼンタ、シアンおよびオーバーコートの各パネルがこの順序で繰り返し配置されているとする。図３（Ａ）は、領域４０までのパネルが全面使用され、領域４１を使用した印画開始前の状態を示している。ヘッド位置ＰｈにイエローＹ１の先頭部分が位置している。
【００５１】
図３（Ｂ）は、ホストコンピュータからの印画指示により、領域４１のパネルのうち、矢印Ｃ方向（順方向、巻取り方向）に対する前半部分を使用して、６×４サイズの画像が形成された後の状態を示す。インクリボン４は、印画時にインクリボン駆動部３４によって巻取側リボンローラ４Ｂに巻き取られ、矢印Ｃ方向に搬送される。上記の通り、新たなパネルの前半部分を使用した各色インクおよびオーバーコートについての６×４サイズの画像形成は、６×８サイズの画像形成と比べて低速で行われる。印画前に全面未使用のパネルだった領域４１は、巻取り方向に対する前半部分が使用されて半分未使用のパネルになる。
【００５２】
図３（Ｃ）は、さらにホストコンピュータから６×４サイズの印画指示を受信して、領域４１のパネルの未使用部分である矢印Ｃ方向に対する後半部分を使用するときの印画前の状態を示す。このとき、インクリボン４は、インクリボン駆動部３４によって、供給側リボンローラ４Ａに向けて矢印Ｄ方向（逆方向、巻戻し方向）に搬送される。そして、インクリボン４は、先の画像形成で前半部分が使用されたイエローＹ１の後半部分の先頭がヘッド位置Ｐｈに来るまで巻き戻される。
【００５３】
図３（Ｄ）は、領域４１のパネルの後半部分を使用して、６×４サイズの画像が形成された後の状態を示す。インクリボン４は、印画時にインクリボン駆動部３４によって巻取側リボンローラ４Ｂに巻き取られ、矢印Ｃ方向に搬送される。上記の通り、半分未使用のパネルの後半部分を使用した各色インクおよびオーバーコートについての６×４サイズの画像形成は、６×８サイズの画像形成よりも低速または６×８サイズの画像形成と同じ速度で行われる。印画前に半分未使用のパネルだった領域４１は、巻取り方向に対する後半部分が使用されて全面使用済みのパネルになる。この後は、次の領域４２のパネルを使用して、新たな画像形成が行われる。
【００５４】
図４（Ａ）は、印画速度、ヘッド温度およびリボン伸び量の関係を説明するためのグラフである。図４（Ａ）の左側のグラフは、印画時の経過時間ｔと、ヘッド３の温度Ｔとの関係の例を示す。また、図４（Ａ）の右側のグラフは、ヘッド３の最高温度Ｔmaxと、パネルの伸び量ΔＬとの関係の例を示す。伸び量ΔＬの大きさは、インクリボン４のパネルが受けるダメージの大きさと対応している。
【００５５】
Ｐ１は、６×８サイズの画像形成が行われるときの印画周期である。すなわち、６×８サイズの画像形成では、イエロー、マゼンタ、シアンおよびオーバーコートのそれぞれについて、ヘッド３をプラテンローラ９に押圧させたときのヘッド３の温度が、周期Ｐ１で図４（Ａ）のように変化する。各色インクを転写（発色）させるためには、ある温度Ｔ０以上にヘッド３を加熱する必要がある。６×８サイズの画像形成では、図４（Ａ）に示すＱ１の面積に対応する熱量が、各パネルに加えられる。
【００５６】
一方、Ｐ２は、新たなパネルの前半部分を使用して６×４サイズの画像形成が行われるときの印画周期である。すなわち、このときの６×４サイズの画像形成では、イエロー、マゼンタ、シアンおよびオーバーコートのそれぞれについて、ヘッド３をプラテンローラ９に押圧させたときのヘッド３の温度を、Ｐ１より長い周期Ｐ２で図４（Ａ）のように変化させる。このときの６×４サイズの画像形成では、図４（Ａ）に示すＱ２の面積に対応する熱量が、各パネルに加えられる。発色に必要なエネルギーは印画速度に関係なく同じであるため、熱量Ｑ２がＱ１と同じ大きさになるように、印画速度とヘッド３のピーク温度の大きさが設定される。
【００５７】
図４（Ａ）に示すように、プリンタ１では、ヘッド３は、新たなパネルを使用して６×４サイズの画像を形成するときに、６×８サイズの画像を形成するときと比べて低速かつ低温で、その新たなパネルを加熱する。印画速度が速い場合、発色に必要なエネルギーを得るには、ヘッド３のピーク温度を上げて（図４（Ａ）のＴ１）、瞬間的に多くの熱量を加える必要がある。一方、印画速度を遅くすれば、ヘッド３のピーク温度を相対的に下げても（図４（Ａ）のＴ２）、より長い時間をかけて同じ熱量を加えることができるため、発色に必要なエネルギーが得られる。
【００５８】
図４（Ｂ）および図４（Ｃ）は、それぞれ、通常の印画速度で印画するときと低速で印画するときのヘッド３の通電波形の例を示すグラフである。すなわち、図４（Ｂ）は印画周期Ｐ１で、図４（Ｃ）は印画周期Ｐ２で印画する場合のグラフである。各グラフの縦軸はヘッド３を加熱するための電流Ｉを表し、横軸は時間ｔを表す。通電はチョッパー駆動により行っているため、帯状の波形となっている。図４（Ｂ）に示す通常の印画速度での印画時には、１ラインの周期が０．７５ｍｓであり、平均電流が６．３Ａである。一方、図４（Ｃ）に示す低速での印画時には、１ラインの周期を１．３８ｍｓと遅くすることで、平均電流を４．８８Ａに抑えて、通常の印画速度での印画時よりも低温でインクリボン４の各パネルが加熱される。
【００５９】
ヘッド３の温度が上がると、インクリボン４はより多くのダメージを受けて伸びてしまう。しかしながら、図４（Ａ）に示すように、ヘッド３のピーク温度がより低温のＴ２のときの各パネルの伸び量ΔＬ２は、ヘッド３のピーク温度がより高温のＴ１のときの各パネルの伸び量ΔＬ１と比べて小さくなる。このため、新たなパネルを使用して６×４サイズの画像を形成するときに、印画速度を落としてピーク温度を抑えることで、半分未使用のパネルに生じる伸びを小さくすることが可能になる。
【００６０】
また、プリンタ１では、ヘッド３は、新たなパネルを使用して６×４サイズの画像を形成するときに、６×８サイズの画像を形成するときと単位面積当たり同じ熱量をその新たなパネルに加える（Ｑ１＝Ｑ２とする）。そのために、制御部３０は、温度センサ（サーミスタ）でヘッド３の温度変化をリアルタイムに検出し、ヘッド３のヒータ（発熱体）を制御して、ヘッド３の温度をほぼリアルタイムに変化させる。一般に、印画速度を変化させると形成される画像の色合いも変化してしまうが、このようにヘッド３の加熱温度（熱量）を制御することで、印画速度を落としても発色特性が同じになるようにする。
【００６１】
なお、部分使用されたパネルの未使用部分（後半部分）を使用した６×４サイズの画像形成は、６×８サイズの画像形成よりも長い周期Ｐ２または６×８サイズの画像形成と同じ周期Ｐ１で行われる。特に、パネルの前半部分を使用した６×４サイズの画像と後半部分を使用した６×４サイズの画像の画質（色合いなど）を同じにするためには、部分使用されたパネルの未使用部分を使用した６×４サイズの画像形成を、６×８サイズの画像形成よりも長い周期Ｐ２で行うとよい。部分使用されたパネルの未使用部分を使用した６×４サイズの画像形成を印画周期Ｐ２で行う際も、６×８サイズの画像を形成するときと比べて低温でその部分使用されたパネルを加熱する。また、部分使用されたパネルの未使用部分を使用して６×４サイズの画像を形成するときも、ヘッド３は、６×８サイズの画像を形成するときと単位面積当たり同じ熱量をその部分使用されたパネルに加える。
【００６２】
図５は、プリンタ１の動作例を示したフローチャートである。図５に示したフローは、制御部３０内のＲＯＭに予め記憶されたプログラムに従って、制御部３０内のＣＰＵにより実行される。プリンタ１には６×８サイズのインクリボン４がセットされているとする。
【００６３】
プリンタ１は、まず、ホストコンピュータから印画指示および印画対象の画像データを受信する（Ｓ１）。すると制御部３０は、その画像データが６×４サイズであるか否かを判定する（Ｓ２）。例えば６×８サイズなど、画像データが６×４サイズでない場合（Ｓ２でＮｏ）には、処理は後述するＳ３１に進む。なお、６×８サイズのパネルより大きなサイズの画像データであった場合にはエラー処理が行われる（図示せず）。
【００６４】
画像データが６×４サイズである場合（Ｓ２でＹｅｓ）は、制御部３０は、さらに、例えばプリンタ内で保持した半分未使用のパネルの有無を示す情報を参照することにより、新たなパネルを使用するか、またはインクリボン４を巻き戻して半分未使用のパネルを再使用するかを判定する（Ｓ３）。
【００６５】
新たなパネルを使用すると判定された場合、すなわち、半分未使用のパネルがない場合（Ｓ３でＹｅｓ）には、ヘッド３が１枚のパネル（最初はイエローＹ）を使用して、低速の印画速度で、図３（Ｂ）のように画像形成を行う（Ｓ１１）。具体的には、記録用紙駆動部３２は、記録用紙１０上の画像形成領域のサイズに合わせて記録用紙１０を送り出す。またヘッド駆動部３３は、ヘッド３を移動させてプラテンローラ９に対して押圧する。そして記録用紙駆動部３２が送り出した記録用紙１０を巻き戻しながら、１つの色（最初はイエローＹ）について、図４（Ａ）に示す印画周期Ｐ２でヘッド３により画像を形成する。このときインクリボン４も一緒に移動させる。この記録用紙１０の巻戻しとインクリボン４の巻取りとヘッド３による画像形成は、同期をとって行う。１つの色についての画像形成が終わると、ヘッド駆動部３３はヘッド３をプラテンローラ９から離間させる。
【００６６】
そして、インクリボン駆動部３４は、次の色（２色目はマゼンタＭ）のパネルの先頭がヘッド位置Ｐｈに来るまでインクリボン４を巻き取る（Ｓ１２）。ここで、制御部３０は、オーバーコートＯＰまでの印画が終了したか否かを判定する（Ｓ１３）。まだオーバーコートＯＰまで印画されていない場合（Ｓ１３でＮｏ）には、処理はＳ１１に戻り、マゼンタＭ、シアンＣおよびオーバーコートＯＰについても、イエローＹのときと同様に、画像形成が行われる。このようにして、記録用紙１０の同じ画像形成領域上に、イエローＹ、マゼンタＭおよびシアンＣの各色カラー画像を形成し、オーバーコート層を被覆して保護層を形成する。オーバーコートＯＰまでの印画が終了したら（Ｓ１３でＹｅｓ）、処理はＳ４０に進む。
【００６７】
一方、半分未使用のパネルを再使用すると制御部３０が判定した場合（Ｓ３でＮｏ）には、インクリボン駆動部３４は、図３（Ｃ）のように、部分使用されたイエローＹのパネルにおける未使用の後半部分の先頭がヘッド位置Ｐｈに来るまで、インクリボン４を巻き戻す（Ｓ２０）。その際、インクリボン駆動部３４は、各パネルのピッチや、エンコーダのパルス数、リボンローラ４Ａ，４Ｂの巻き径などに基づいて必要な送り量を算出し、この送り量に従って、インクリボン４を矢印Ｄ方向に巻き戻す。
【００６８】
続いて、ヘッド３が１枚のパネル（最初はイエローＹ）を使用して、低速の印画速度または通常の印画速度で、図３（Ｄ）のように画像形成を行う（Ｓ２１）。このときの処理は、通常の印画速度の場合は各色について図４（Ａ）に示す印画周期Ｐ１でヘッド３により画像を形成する点を除いて、上記のＳ１１と同様である。その後、制御部３０は、オーバーコートＯＰまでの印画が終了したか否かを判定する（Ｓ２２）。まだオーバーコートＯＰまで印画されていない場合（Ｓ２２でＮｏ）には、インクリボン駆動部３４は、次の色（２色目はマゼンタＭ）のパネルにおける未使用の後半部分の先頭がヘッド位置Ｐｈに来るまで、インクリボン４を巻き取る（Ｓ２３）。
【００６９】
そして処理はＳ２１に戻り、マゼンタＭ、シアンＣおよびオーバーコートＯＰについても、イエローＹのときと同様に画像形成が行われる。このようにして、記録用紙１０の同じ画像形成領域上に、イエローＹ、マゼンタＭおよびシアンＣの各色カラー画像を形成し、オーバーコート層を被覆して保護層を形成する。オーバーコートＯＰまでの印画が終了したら（Ｓ２２でＹｅｓ）、処理はＳ４０に進む。
【００７０】
また、印画対象の画像データが６×４サイズでない場合、すなわち６×８サイズの場合（Ｓ２でＮｏ）には、ヘッド３が新しいパネルの全面を使用して、通常の印画速度で（すなわち、図４（Ａ）に示す印画周期Ｐ１で）、上記のＳ２１と同様に画像形成を行う（Ｓ３１）。そして、オーバーコートＯＰまでの印画が終了したら（Ｓ３２でＹｅｓ）、処理はＳ４０に進む。
【００７１】
印画終了後に、記録用紙駆動部３２が記録用紙１０を送り出し、記録用紙切断部５が記録用紙１０を切断して、排出口６から排出させる（Ｓ４０）。以上で、プリンタ１は動作を終了する。
【００７２】
以上説明してきたように、プリンタ１では、６×８サイズの新たなパネルの半分を使用して６×４サイズの印画を行うときに、印画速度を通常より低速にすることで、半分使用されたパネルが受けるダメージを少なくする。これにより、インクリボン４を巻き戻しそのパネルの未使用部分を使用して６×４サイズの画像を形成するときに、そのパネルに皺が発生しないようにする。
【００７３】
また、こうすることで、プリンタ１では、パネルを部分使用して濃度が濃い画像を形成した場合でも、残りの未使用部分を新たな画像形成に使用することが可能になる。プリンタ１では、先に印画された画像の濃度に基づくパネルの再使用可否の判定を行わないので、半分未使用のパネルを再使用しないと判定しそのパネルを無駄にすることはなく、パネルの残量通りの枚数を印画することができる。
【００７４】
また、プリンタ１では、部分使用されたパネルが受けるダメージが低減されるので、新たなパネルを使用して６×４サイズの印画を行うときの最初の使用領域を、パネルの後半部分に限定する必要がない。上記では、新たなパネルで６×４サイズの印画を行うときに、インクリボン４の搬送方向に沿った前半部分から各パネルを使用することを説明したが、この最初の使用領域は、各パネルの前半部分と後半部分のどちらでもよい。
【符号の説明】
【００７５】
１    プリンタ
２    ロール紙ホルダ
３    ヘッド
４    インクリボン
４Ａ    供給側リボンローラ
４Ｂ    巻取側リボンローラ
８    リボンセンサ
９    プラテンローラ
１０    記録用紙
３０    制御部
Ｐｈ    ヘッド位置
Ｐｓ    センサ位置
【図１】
2015193188.tif 000003
【図２】
2015193188.tif 000004
【図３】
2015193188.tif 000005
【図４】
2015193188.tif 000006
【図５】
2015193188.tif 000007
【手続補正書】
【提出日】平成26年11月13日(2014.11.13)
【手続補正１】
【補正対象書類名】特許請求の範囲
【補正対象項目名】全文
【補正方法】変更
【補正の内容】
【特許請求の範囲】
【請求項１】
複数の転写材料にそれぞれ対応する第１の大きさの複数の転写材料領域が予め定められた順序で長手方向に繰り返し配置された帯状の転写媒体を搬送する搬送部と、
前記転写材料領域ごとに加熱により前記転写材料を転写して、記録媒体上に前記第１の大きさまたは前記第１の大きさの半分以下である第２の大きさの画像を形成する画像形成部と、を有し、
前記画像形成部は、
前記第２の大きさの画像を形成するときに、前記第２の大きさの画像形成に既に使用された各転写材料領域に含まれる未使用部分か、または前記転写媒体の新たな転写材料領域を使用し、
前記新たな転写材料領域を使用した前記第２の大きさの画像形成を、前記第１の大きさの画像形成と比べて低速で行う、
ことを特徴とする画像形成装置。
【請求項２】
前記画像形成部は、前記第２の大きさの画像形成に既に使用された各転写材料領域に含まれる未使用部分を使用した前記第２の大きさの画像形成を、前記第１の大きさの画像形成と同じ速度または前記新たな転写材料領域を使用した前記第２の大きさの画像形成と同じ速度で行う、請求項１に記載の画像形成装置。
【請求項３】
前記画像形成部は、前記第１の大きさの画像を形成するときと比べて低速で前記第２の大きさの画像を形成するときに、前記第１の大きさの画像を形成するときと比べて低温で前記転写材料領域を加熱する、請求項２に記載の画像形成装置。
【請求項４】
前記画像形成部は、前記第２の大きさの画像を形成するときに、前記第１の大きさの画像を形成するときと単位面積当たり同じ熱量を前記転写材料領域に加える、請求項３に記載の画像形成装置。
【請求項５】
前記画像形成部は、前記新たな転写材料領域を使用して前記第２の大きさの画像を形成するときに、前記転写媒体の搬送方向に沿った各転写材料領域の前半部分を使用する、請求項１〜４のいずれか一項に記載の画像形成装置。
【請求項６】
複数の転写材料にそれぞれ対応する第１の大きさの複数の転写材料領域が予め定められた順序で長手方向に繰り返し配置された帯状の転写媒体を搬送する搬送工程と、
前記転写材料領域ごとに加熱により前記転写材料を転写して、記録媒体上に前記第１の大きさまたは前記第１の大きさの半分以下である第２の大きさの画像を形成する画像形成工程と、を有し、
前記画像形成工程では、
前記第２の大きさの画像を形成するときに、前記第２の大きさの画像形成に既に使用された各転写材料領域に含まれる未使用部分か、または前記転写媒体の新たな転写材料領域を使用し、
前記新たな転写材料領域を使用した前記第２の大きさの画像形成を、前記第１の大きさの画像形成と比べて低速で行う、
ことを特徴とする画像形成方法。
【手続補正書】
【提出日】平成27年4月21日(2015.4.21)
【手続補正１】
【補正対象書類名】特許請求の範囲
【補正対象項目名】全文
【補正方法】変更
【補正の内容】
【特許請求の範囲】
【請求項１】
複数の転写材料にそれぞれ対応する第１の大きさの複数の転写材料領域が予め定められた順序で長手方向に繰り返し配置された帯状の転写媒体を搬送する搬送部と、
前記転写材料領域ごとに加熱により前記転写材料を転写して、記録媒体上に前記第１の大きさまたは前記第１の大きさの半分以下である第２の大きさの画像を形成する画像形成部と、を有し、
前記画像形成部は、
前記第２の大きさの画像を形成するときに、前記第２の大きさの画像形成に既に使用された各転写材料領域に含まれる未使用部分か、または前記転写媒体の新たな転写材料領域を使用し、
前記新たな転写材料領域を使用した前記第２の大きさの画像形成と前記第２の大きさの画像形成に既に使用された各転写材料領域に含まれる未使用部分を使用した前記第２の大きさの画像形成とを、前記第１の大きさの画像形成と比べて低速かつ同じ速度で行う、
ことを特徴とする画像形成装置。
【請求項２】
前記画像形成部は、前記第１の大きさの画像を形成するときと比べて低速で前記第２の大きさの画像を形成するときに、前記第１の大きさの画像を形成するときと比べて低温で前記転写材料領域を加熱する、請求項１に記載の画像形成装置。
【請求項３】
前記画像形成部は、前記第２の大きさの画像を形成するときに、前記第１の大きさの画像を形成するときと単位面積当たり同じ熱量を前記転写材料領域に加える、請求項２に記載の画像形成装置。
【請求項４】
前記画像形成部は、前記新たな転写材料領域を使用して前記第２の大きさの画像を形成するときに、前記転写媒体の搬送方向に沿った各転写材料領域の前半部分を使用する、請求項１〜３のいずれか一項に記載の画像形成装置。
【請求項５】
複数の転写材料にそれぞれ対応する第１の大きさの複数の転写材料領域が予め定められた順序で長手方向に繰り返し配置された帯状の転写媒体を搬送する搬送工程と、
前記転写材料領域ごとに加熱により前記転写材料を転写して、記録媒体上に前記第１の大きさまたは前記第１の大きさの半分以下である第２の大きさの画像を形成する画像形成工程と、を有し、
前記画像形成工程では、
前記第２の大きさの画像を形成するときに、前記第２の大きさの画像形成に既に使用された各転写材料領域に含まれる未使用部分か、または前記転写媒体の新たな転写材料領域を使用し、
前記新たな転写材料領域を使用した前記第２の大きさの画像形成と前記第２の大きさの画像形成に既に使用された各転写材料領域に含まれる未使用部分を使用した前記第２の大きさの画像形成とを、前記第１の大きさの画像形成と比べて低速かつ同じ速度で行う、
ことを特徴とする画像形成方法。